(57)【要約】【課題】明示板情報を容易に管理することができる明示板管理システムを提供する。【解決手段】明示カード３０は、ＲＦＩＤリーダライタ１７４からの電波の遮蔽層と、遮蔽層を挟んだ両側それぞれにＩＤタグとを有し、それぞれのＩＤタグに明示カードの明示状態を識別する識別情報を記憶し、管理サーバは、明示板１７のＲＦＩＤリーダライタ１７４と接続され、処理部、記憶部および表示部を有し、記憶部は、明示カード３０ごとの遮蔽層を挟んだ両側を識別する識別情報と、それぞれの明示カードの明示内容に関する情報とを関連付ける関連付け情報を記憶しており、処理部は、明示板のリーダから受信する識別情報と、関連付け情報とを用いて明示内容を判定し、明示板に装着された明示カードの明示内容を表示部に表示する。【選択図】図２
2010244105.tif 000002
【特許請求の範囲】
【請求項１】
明示内容を表面に表示し、前記明示内容を識別するための識別情報を記憶するＩＤタグを備える複数の明示カードが着脱可能に装着される明示板と、前記明示板に装着される前記明示カードの前記ＩＤタグから識別情報を読み取るリーダと、前記リーダが読み取った情報を管理する管理装置とを備え、前記管理装置が前記明示板に装着された前記明示カードの明示状態を管理する明示板管理システムであって、
前記明示カードは、前記リーダからの電波の遮蔽層と、前記遮蔽層を挟んだ両側それぞれにＩＤタグとを有し、前記それぞれのＩＤタグに前記明示カードの明示状態を識別する識別情報を記憶し、
前記管理装置は、前記明示板のリーダと接続され、処理部、記憶部および表示部を有し、
前記記憶部は、前記明示カードごとの前記遮蔽層を挟んだ両側を識別する識別情報と、それぞれの前記明示カードの明示内容に関する情報とを関連付ける関連付け情報を記憶しており、
前記処理部は、前記明示板のリーダから受信する前記識別情報と、前記関連付け情報とを用いて前記明示内容を判定し、前記明示板に装着された前記明示カードの明示内容を前記表示部に表示する
ことを特徴とする明示板管理システム。
【請求項２】
前記明示カードは、
ロイコ染料材で形成される第１のロイコ層と、ロイコ染料材で形成される第２のロイコ層と、前記第１のロイコ層と前記第２のロイコ層との間に前記リーダからの電波の遮蔽層とを備え、
前記第１のロイコ層と前記遮蔽層との間に第２のＩＤタグを有し、
前記第２のロイコ層と前記遮蔽層との間に第１のＩＤタグを有し、
前記第１のロイコ層に明示される明示内容を識別する識別情報が前記第１のＩＤタグに記憶されており、前記第２のロイコ層に明示される明示内容を識別する識別情報が前記第２のＩＤタグに記憶されている
ことを特徴とする請求項１に記載の明示板管理システム。
【請求項３】
前記明示板は、人の行先を管理する明示板であり、
前記明示内容は、前記人の氏名と、前記人の行先と、前記人の帰着時間とを含んでなる
ことを特徴とする請求項１に記載の明示板管理システム。
【請求項４】
前記明示板は、人が行う作業を管理する明示板であり、
前記明示内容は、前記人の氏名と、前記人の作業の工程を表す作業工程と、前記作業工程の詳細な作業内容を含んでなる
ことを特徴とする請求項１に記載の明示板管理システム。
【請求項５】
前記処理部は、前記明示カードの情報として前記帰着時間を前記リーダから受理すると、前記帰着時間から所定時間以上経過した際に、遅延である旨を前記表示部に表示する
ことを特徴とする請求項１に記載の明示板管理システム。
【請求項６】
ＩＤタグに記憶されている識別情報をリーダが読み取り、読み取った前記識別情報を管理装置が管理する管理システムにおいて、明示内容を表面に表示し、前記明示内容を識別するための識別情報を記憶する前記ＩＤタグを備える明示カードであって、
ロイコ染料材で形成される第１のロイコ層と、ロイコ染料材で形成される第２のロイコ層と、前記第１のロイコ層と前記第２のロイコ層との間に前記リーダからの電波の遮蔽層とを備え、
前記第１のロイコ層と前記遮蔽層との間に第２のＩＤタグを有し、
前記第２のロイコ層と前記遮蔽層との間に第１のＩＤタグを有し、
前記第１のロイコ層に明示される明示内容を識別する識別情報が前記第１のＩＤタグに記憶されており、前記第２のロイコ層に明示される明示内容を識別する識別情報が前記第２のＩＤタグに記憶されている
ことを特徴とする明示カード。
【発明の詳細な説明】
【技術分野】
【０００１】
本発明は、行先明示板などの明示板に用いる明示板情報を管理する技術に関する。
【背景技術】
【０００２】
従来、職場などにおける各人の行先の管理は、ホワイトボードなどの明示板に、氏名および行先が記載されたマグネットプレートを貼り付けるなどにより、各人の行先を掲示することで行われている。また、行先明示板の情報を電子化する方法が試みられている。
【０００３】
特許文献１では、行先ごとに区分された掲示手段のいずれかの領域に、氏名情報が記憶された貼付部材を貼り付けると、認識手段が貼付部材の貼付位置と氏名情報を認識し、認識手段が認識した氏名情報と貼付部材の貼付位置が入力された行先管理手段は、当該貼付位置に対応する領域情報（この場合、行先情報）を領域管理手段から取得することにより、氏名情報とこれに対応する行先情報とを取得する技術が開示されている。
【先行技術文献】
【特許文献】
【０００４】
【特許文献１】特開２００６−３１２１０号公報
【発明の概要】
【発明が解決しようとする課題】
【０００５】
行先の管理は、職場への出退勤管理も兼ねることが多い。例えば、氏名が記載されたプレートには表・裏に色付けがされており、白色の場合は出勤、赤色の場合は退勤または外出として管理される。この場合の利用方法について、特許文献１においても行先明示板の情報を電子化する方法が示されていない。
【０００６】
また、工場の管理者などは、作業場などの職場の状況を把握するためには、各作業場の作業エリアの行先明示板を実際に見に行って、氏名のプレートの状態を目視する必要があり、非効率的である（手間がかかる）という問題があった。
【０００７】
本発明は、前記の課題を解決するための発明であって、明示板情報を容易に管理することができる明示板管理システムおよび明示カードを提供することを目的とする。
【課題を解決するための手段】
【０００８】
前記目的を達成するため、明示板管理システムは、明示内容を表面に表示し、明示内容を識別するための識別情報を記憶するＩＤタグ(例えば、ＲＦＩＤタグ３２)を備える複数の明示カード(例えば、明示カード３０)が着脱可能に装着される明示板（例えば、明示板１７）と、明示板に装着される明示カードのＩＤタグから識別情報を読み取るリーダ（例えば、ＲＦＩＤリーダライタ１７４）と、リーダが読み取った情報を管理する管理装置（例えば、管理サーバ２０）とを備え、管理装置が明示板に装着された明示カードの明示状態を管理する明示板管理システムであって、
明示カードは、リーダからの電波の遮蔽層（例えば、遮蔽層３３３）と、遮蔽層を挟んだ両側それぞれにＩＤタグとを有し、それぞれのＩＤタグに明示カードの明示状態を識別する識別情報を記憶し、
管理装置は、明示板のリーダと接続され、処理部、記憶部および表示部を有し、記憶部は、明示カードごとの遮蔽層を挟んだ両側を識別する識別情報と、それぞれの明示カードの明示内容に関する情報とを関連付ける関連付け情報（例えば、作業者情報２２１）を記憶しており、処理部は、明示板のリーダから受信する識別情報と、関連付け情報とを用いて明示内容を判定し、明示板に装着された明示カードの明示内容を表示部に表示することを特徴とする。
【発明の効果】
【０００９】
本発明によれば、明示板情報を容易に管理することができる。
【図面の簡単な説明】
【００１０】
【図１】本実施形態の明示板管理システムの全体構成を示す図である。
【図２】明示板の構造を示す図である。
【図３】明示板のＩＤタグ読み取り機能を示す図である。
【図４】明示カードの構造を示す図である。
【図５】作業者情報を示す図である。
【図６】行先情報を示す図である。
【図７】帰着時間情報を示す図である。
【図８】エリア区分情報を示す図である。
【図９】明示状況管理情報を示す図である。
【図１０】個人管理情報を示す図である。
【図１１】管理サーバの処理を示すフローチャートである。
【図１２】作業管理の明示板を示す図である。
【発明を実施するための形態】
【００１１】
以下、図面を参照（言及図以外も適宜参照）しながら、本発明を実施するための形態（以下、「実施形態」という。）について説明する。
図１は、本実施形態の明示板管理システムの全体構成を示す図である。明示板管理システムＳは、作業場１０に掲示された明示板１７と管理サーバ２０（管理装置）とを備えて構成される。
【００１２】
作業場１０は、複数の作業エリアから構成され、具体的には、作業エリアＡ（１１）、作業エリアＢ（１２）、作業エリアＣ（１３）、作業エリアＤ（１４）を有している。作業エリアＡ（１１）、作業エリアＢ（１２）、作業エリアＣ（１３）、作業エリアＤ（１４）には、その作業エリアで作業する作業者の行先を明示する明示板１７ａ（１７），１７ｂ（１７），１７ｃ（１７），１７ｄ（１７）（詳細は図２で後記）が１つずつ設置されている。なお、各作業エリアは、それぞれが別室となっていてもよいし、それぞれがパーテーションで区切られていてもよいし、あるいは、それぞれの間に特に仕切り等がなくてもよい。各作業エリアでは作業員による各作業が行われる。
【００１３】
各明示板１７は、明示板管理システムＳにおける通信網であるＬＡＮ（Local Area Network）１８を介して管理サーバ２０に接続されている。なお、ＬＡＮ１８の代わりに、無線、電力線搬送等の通信技術を利用してもよい。
【００１４】
管理サーバ２０は、情報処理を行う装置で、例えば、コンピュータによって実現される。管理サーバ２０は、処理部２１、記憶部２２、通信部２３、入力部２４、および、表示部２５を備えている。
【００１５】
処理部２１は、明示板１７から受信した情報を記憶部２２に記憶させたり、記憶部２２に記憶された情報に基づいて演算を行ったりするものであり、例えば、ＣＰＵ（Central Processing Unit）によって実現される。
【００１６】
記憶部２２は、作業者情報２２１（図５参照）、行先情報２２２（図６参照）、帰着時間情報２２３（図７参照）、エリア区分情報２２４（図８参照）、告知判定閾値情報２２５、各明示板１７の明示状況を管理する明示状況管理情報２２７（図９参照）、各作業者の個人状況を管理する個人管理情報２２８（図１０参照）、処理部２１の実行プログラム（不図示）などを記憶する手段であり、例えば、ＲＡＭ（Random Access Memory）、ＲＯＭ（Read Only Memory）、ハードディスクなどによって実現される。
【００１７】
告知判定閾値情報２２５は、作業者が外出し、帰着予定時間になっても帰ってこない場合に判定するための閾値（例えば、２時間）に関する情報である。
【００１８】
通信部２３は、ＬＡＮ１８を経由して明示板１７と接続するための通信インタフェースである。入力部２４は、管理サーバ２０のユーザが情報を入力する手段であり、例えば、キーボードやマウスである。表示部２５は、処理部２１からの指示により情報を表示する手段であり、例えば、液晶ディスプレイである。
【００１９】
図２は、明示板の構造を示す図である。図２（ａ）は正面図を示し、図２（ｂ）は、図２（ａ）の正面図におけるＡ−Ａ矢視の断面図を示す。なお、明示板１７は、図２の（ａ）に示す面が、各作業エリアの内側に向くように、作業エリアの柱などに掲示されるものとするが、状況によっては他の方向に向くように置かれてもよい。
【００２０】
図２（ａ）、図２（ｂ）に示すように、明示板１７ａ（１７）は、氏名欄、行先欄、帰着時間欄の３列から構成されており、氏名欄（ここでは、１０名分）に対応して行先および帰着時間を明示することができる。明示板１７ａ（１７）は、大きな１枚の板からなるアンテナ支持部１７１と、複数のアンテナ１７３から構成されている。各アンテナ１７３は、図２（ａ）に示す各行における氏名欄、行先欄、帰着時間欄に置かれた明示カード３０を読み取るときに使用される。氏名欄、行先欄、帰着時間欄には、個別に透明のカード保持ケース１７２が設けられている。
【００２１】
各アンテナ１７３は、ＲＦＩＤリーダライタ１７４（リーダ）に接続されている。なお、ＲＦＩＤリーダライタ１７４は、複数のアンテナ１７３に対する動作を切り換えるチャンネルスキャナの機能も有している（詳細は、図３参照、後記）。ＲＦＩＤリーダライタ１７４は、ＬＡＮ１８（図１参照）を介して管理サーバ２０に接続されている。なお、ＲＦＩＤはRadio Frequency Identificationの略である。
【００２２】
カード保持ケース１７２は、内部に明示カード３０を収容（装着）することができる。明示カード３０（図４参照）には、複数のＲＦＩＤタグ３２（ＩＤタグ）が取り付けられている。ＲＦＩＤタグ３２は、内部の回路（ＩＣ（Integrated Circuit））に明示カードの情報を保持している。
【００２３】
明示カード３０には、作業者を特定するための作業者ＩＤをＲＦＩＤタグ３２に保持する作業者用の明示カード３０ａ（３０）、行先を特定するための行先ＩＤをＲＦＩＤタグ３２に保持する行先用の明示カード３０ｂ（３０）、帰着時間を特定するための帰着時間ＩＤをＲＦＩＤタグ３２に保持する帰着時間用の明示カード３０ｃ（３０）がある。
【００２４】
作業者用の明示カード３０ａは、両面に同一の氏名（例えば、「鈴木」）が表示され、片側のカード色は白色、反対側のカード色は赤色（図では細かいドット表示）となっており、作業者が出勤すると白色側を表にしてカード保持ケース１７２に置き、退勤または外出するときに赤色側を表にしてカード保持ケース１７２に置くことになっている。
【００２５】
行先用の明示カード３０ｂも、両面に行先が表示されており、片側に「外出」（カード色は赤色）、反対側は「出張」（カード色は黄色（図では、荒いドット表示）となっている。また、他の明示カード３０ｂは、片側に「年休」（カード色は赤色）、反対側は「半年（半日年休）」（カード色は赤色）（図示せず）となっている。同様に、帰着時間用の明示カード３０ｃも、両面に行先が表示されており、片側に「来月」（カード色は黄色）、反対側に「明日」（カード色は赤色）となっている。また、他の明示カード３０ｃは、片側に「ＰＭ」（カード色は赤色）、反対側に「ＡＭ」（カード色は赤色）（図示せず）となっている。
【００２６】
ＲＦＩＤリーダライタ１７４の動作により、アンテナ１７３からは、制御信号を含む電波が常時または定期的（例えば、１０秒ごと）に発信される。カード保持ケース１７２に収容された明示カード３０のＲＦＩＤタグ３２は、アンテナ１７３からの電波を受信し、共振作用により起電力を発生させる。そして、ＲＦＩＤタグ３２は、発生させた電力により内部の回路を起動し、必要な処理を行い、その処理結果を電波でアンテナ１７３に送信する。
【００２７】
その電波を受信したアンテナ１７３からの情報を受信したＲＦＩＤリーダライタ１７４は、ＲＦＩＤタグ３２に格納された情報を取得することができる。ＲＦＩＤリーダライタ１７４は、ＲＦＩＤタグ３２から得た情報を、ＬＡＮ１８（図１参照）を経由して管理サーバ２０に送信する。
【００２８】
図３は、明示板のＩＤタグ読み取り機能を示す図である。適宜図２を参照して説明する。図３（ａ）、図３（ｂ）には、異なるアンテナ構造（アンテナ１７３、アンテナ１７３ａ）を示す。図３（ａ）に示すように、アンテナ支持部１７１に設置された複数のアンテナ１７３は、ＲＦＩＤリーダライタ１７４に接続されている。ＲＦＩＤリーダライタ１７４には、アンテナ切替器１７５と、タグリーダライタ本体１７６とが備えられている。アンテナ切替器１７５が、所定時間毎に動作対象のアンテナ１７３を切り替えることで、すべてのカード保持ケース１７２内のＲＦＩＤタグ３２を、タグリーダライタ本体１７６で読み取ることができる。アンテナ切替器１７５は、定期的（例えば、１０秒ごと）に切替えることが好ましい。
【００２９】
図３（ａ）には、ループ形状のアンテナ１７３を示すのに対し、図３（ｂ）には、複数のループ（例えば、３区分のループ）で構成したアンテナ１７３ａを示している。例えば、２．４５ＧＨｚの半波長をアンテナ長とすると、１区分のアンテナ長は約６０ｍｍとなり、明示板１７のカード保持ケース１７２の位置などからアンテナ長を設計するとよい。
【００３０】
ＲＦＩＤリーダライタ１７４は、アンテナ１７３からの情報を受理すると、ＲＦＩＤリーダライタ１７４を特定するリーダライタＩＤ、アンテナを特定するアンテナＩＤ、作業者ＩＤ、行先ＩＤ、帰着時間ＩＤ、読み取った時刻（タイムスタンプ）などを含んだ情報を、管理サーバ２０に送信する。
【００３１】
図４は、明示カードの構造を示す図である。明示カード３０は、書き換え可能なロイコ染料材で形成されるロイコ層３３１ａ（３３１）、ＲＦＩＤタグ３２を有するタグ層３３２ｂ（３３２）、電波を遮蔽するための金属で形成される遮蔽層３３３、ＲＦＩＤタグ３２を有するタグ層３３２ａ（３３２）、書き換え可能なロイコ染料材で形成されるロイコ層３３１ｂ（３３１）の５層構造となっている。図４においては、説明のため、ロイコ層３３１ａ（３３１）の一部に切り欠きをしてＲＦＩＤタグ３２を示している。ロイコ層３３１ａとロイコ層３３１ｂとの間にある遮蔽層３３３は、片側のＲＦＩＤタグ３２のみをＲＦＩＤリーダライタ１７４で読み取るために設けたものである。図５に示す構成とすることにより、明示カード３０は、両面に複数のＲＦＩＤタグ３２を有する両面タグを構成することができる。
【００３２】
具体的に、作業者用の明示カード３０ａを例にとって説明する。ロイコ層３３１ａには、白色面に黒字で「鈴木」と文字が印字され（以下、鈴木（白）という。）、タグ層３３２ａのＲＦＩＤタグ３２には、鈴木（白）に対応する「Ｍ１００１ｗ」の作業者ＩＤが記憶されている。一方、ロイコ層３３１ｂには、赤色面に黒字または白字で「鈴木」という文字が印字され（以下、鈴木（赤）という。）、タグ層３３２ｂのＲＦＩＤタグ３２には、鈴木（赤）に対応する「Ｍ１００１ｒ」の作業者ＩＤが記憶されている。
【００３３】
本実施形態の明示カード３０の特徴は、両面タグを有していること、かつ、片側のロイコ層３３１に印字されている文字に対応する識別情報は、反対側のタグ層３３２に記憶されている点である。すなわち、ロイコ層３３１ａは、遮蔽層３３３を挟んだ反対側のタグ層３３２ａのＲＦＩＤタグ３２と対応している。このようにすることにより、ＲＦＩＤリーダライタ１７４は、明示板１７に明示している情報を、正確に読み取ることができる。
【００３４】
次に、記憶部２２に記憶されている各情報について、図５から図１１を参照して説明する。
図５は、作業者情報を示す図である。作業者情報２２１は、作業者ＩＤ、氏名、連絡先、備考を含んで構成される。具体的には、作業者である「鈴木太郎」には、２つの作業者ＩＤが割当てられていて、作業者ＩＤ「Ｍ１００１ｗ」は、鈴木（白）に対応し、作業者ＩＤ「Ｍ１００１ｒ」は、鈴木（赤）に対応する。このようにすることにより、明示カード３０の両面タグからの情報を識別することができる。
【００３５】
図６は、行先情報を示す図である。行先情報２２２は、行先ＩＤ、行先を含んで構成される。具体的には、行先ＩＤ「Ｗ２００１」は、「出張」を表し、行先ＩＤ「Ｗ２００２」は、「外出」を表わす。
【００３６】
図７は、帰着時間情報を示す図である。帰着時間情報２２３は、帰着時間ＩＤ、帰着時間、備考を含んで構成される。具体的には、帰着時間ＩＤ「Ｔ３００１」は、「来月」を表し、帰着時間ＩＤ「Ｔ３００２」は、「明日」を表わす。また、帰着時間ＩＤ「Ｔ３００３」は、「ＰＭ」（午後）を表し、帰着時間ＩＤ「Ｔ３００４」は、「ＡＭ」（午前）を表わす。
【００３７】
図８は、エリア区分情報を示す図である。エリア区分情報２２４は、作業のエリアを示すエリア区分ＩＤ、リーダライタＩＤ、備考を含んで構成される。処理部２１は、図８のエリア区分情報２２４を参照することにより、受信したリーダライタＩＤから作業エリアを特定することができる。具体的には、リーダライタＩＤ「Ｒ１１０１」の場合、エリア区分ＩＤが「Ａ４００１（作業エリアＡ）とわかる。なお、ここでは、図示していないが、同一のエリア区分ＩＤにおいて、受信したアンテナＩＤにより、各明示板１７の行を特定することができる。例えば、アンテナＩＤが「Ｂ５００１」から「Ｂ５０１０」とすると、各明示板１７の各行に対し、１行目を「Ｂ５００１」、２行目を「Ｂ５００２」、…、と対応させることにより、明示板１７の行を特定することができる。
【００３８】
図９は、明示状況管理情報を示す図である。明示状況管理情報２２７は、複数の作業エリアの明示状況を一覧に表示した情報である。処理部２１は、入力部２４からの要求により、表示部２５にこの明示状況管理情報２２７を表示することができる。
【００３９】
図９に示すように、年月日が「２０ＸＸ／０２／０１」（２０ＸＸ年２月１日）の「作業エリアＡ」の欄には、作業エリアＡ（１１）の明示板１７ａにおける「２０ＸＸ／０２／０１」の分のカード保持ケース１７２に保持されている明示カード３０に対応する作業者の氏名、行先、帰着時間が表示される。氏名は作業者ＩＤから図５の作業者情報２２１を参照して特定され、行先は行先ＩＤから図６の行先情報２２２を参照して特定され、帰着時間は帰着時間ＩＤから図７の帰着時間情報を参照して特定される。具体的には、図９から佐藤さんは、外出中でありＰＭ（午後）に帰着する予定であり、山本さんは、年休であることがわかる。なお、いつ年休であるか否かは、後記する個人管理情報２２８から特定することができる。
【００４０】
同様に、「２０ＸＸ／０２／０１」の「作業エリアＢ」の欄には、作業エリアＢ（１２）の明示板１７ｂにおける「２０ＸＸ／０２／０１」の分のカード保持ケース１７２に保持されている明示カード３０に対応する作業者の氏名、行先、帰着時間が表示される。具体的には、橋本さんは、外出中でありＰＭ（午後）に帰着予定であることがわかる。平野さんの行先欄には、太枠で示した「不明」と表示されているが、受信した行先ＩＤが行先情報２２２に該当するものがなかったときにこのように表示される。
【００４１】
また、「２０ＸＸ／０２／０１」の「作業エリアＣ」の欄には、作業エリアＣ（１３）の明示板１７ｃにおける「２０ＸＸ／０２／０１」の分のカード保持ケース１７２に保持されている明示カード３０に対応する作業者の氏名、行先、帰着時間が表示される。具体的には、赤松さんは、外出中でありＰＭ（午後）に帰着予定であることがわかる。石原さんの行先欄には、太枠で示した「ＡＭ」と表示されているが、現在の時刻が午後１５時とすると、告知判定閾値情報２２５で定義されている時間を過ぎているものとして遅延の旨を告知（太枠表示）している。
【００４２】
また、「２０ＸＸ／０２／０１」の「作業エリアＤ」の欄には、作業エリアＤ（１４）の明示板１７ｄにおける「２０ＸＸ／０２／０１」の分のカード保持ケース１７２に保持されている明示カード３０に対応する作業者の氏名、行先、帰着時間が表示される。具体的には、作業エリアＤの作業者全員が、氏名欄が赤色（図では細かいドット表示）であり、退勤状態である。このため、作業エリアＤの作業者は、シフト作業の休日に該当し全員が休んでいると考えられる。なお、退勤状態は、行先欄に他の明示カード３０ｂの情報がなく、氏名欄が赤色である場合であると判定するとよい。
【００４３】
図１０は、個人管理情報を示す図である。個人管理情報２２８は、処理部２１がＲＦＩＤリーダライタ１７４からの受信情報を個人別にまとめた管理情報である。個人管理情報２２８は、時刻を含む年月日、氏名、行先、帰着時間、備考を含んで構成される。
【００４４】
作業者ＩＤがＭ１００１の鈴木さんの行動について、個人管理情報２２８に基づいて具体的に説明する。行２２８ａから、鈴木さんは「２０ＸＸ／０１／２１  １７：４５」に、明示カード３０を赤色を表にして退勤している。行２２８ｂから、鈴木さんは「２０ＸＸ／０１／２２  ０８：５０」に、明示カード３０を白色を表にして出勤している。行２２８ｃから、鈴木さんは「２０ＸＸ／０１／２２  ０９：５０」に、明示カード３０を赤色を表にして、ＰＭ帰着予定で外出している。行２２８ｄから、鈴木さんは「２０ＸＸ／０１／２２  １５：３５」に、明示カード３０を白色を表にして、外出から帰着している。
【００４５】
行２２８ｅから、鈴木さんは「２０ＸＸ／０１／２２  １７：５５」に、明示カード３０を赤色を表にし、明日、年休として退勤している。このとき、処理部２１は、受信した年月日「２０ＸＸ／０１／２２」と「明日」との情報から、備考欄に「２０ＸＸ／０１／２３年休予定」と記憶する。そして、行２２８ｆから、鈴木さんは「２０ＸＸ／０１／２４  ０８：４５」に、明示カード３０を白色を表にし、出勤している。このとき、過去の履歴情報を参照して、備考欄に「２０ＸＸ／０１／２３年休」と記憶する。このように、個人管理情報２２８から、作業者の個人状況を把握することができる。
【００４６】
なお、個人管理情報２２８は、次の行を記録する際に、直前の行との比較により、状況が変化しないときは、個人管理情報に記載しなくてもよい。これにより、現在の状況を、表示部２５で見やすくすることができる。また、図１０においては、個人管理情報２２８について示したが、作業エリア毎の作業者の状況、作業場１０毎の状況など各種の管理情報を予め作成しておくことが好ましい。
【００４７】
次に、管理サーバ２０の処理について、図１１を参照して説明する。
図１１は、管理サーバの処理を示すフローチャートである。管理サーバ２０は、このフローチャートの動作を定期的（例えば、１０秒ごと）に行う。
【００４８】
まず、処理部２１は、各明示板１７ａ〜１７ｄから、それらのカード保持ケース１７２に保持（装着）された明示カード３０の情報を取得する（ステップＳ１）。次に、処理部２１は、ステップＳ１で得た情報に基づいて、各管理情報、つまり、明示状況管理情報２２７、個人管理情報２２８を更新する（ステップＳ２）。
【００４９】
続いて、処理部２１は、遅延作業者があるか否かを判定する（ステップＳ３）。つまり、個人管理情報２２８と告知判定閾値情報２２５に基づいて、ある作業者に関し判定する。具体的には、例えば、午前帰着予定の外出の場合、告知判定閾値情報２２５の所定時間が「２時間」であれば、「１２：００」から２時間以上経過した時点でその作業者を「遅延」と判定すればよい。
【００５０】
処理部２１は、「遅延」であると判定した場合（ステップＳ３でＹｅｓ）、遅延告知をする（ステップＳ４）。この遅延告知は、例えば、明示状況管理情報２２７（図９参照）を表示部２５に表示するときに、該当作業者の帰着時間を太枠表示（図９では、作業エリアＣの石原さんの「ＡＭ」）することにより行えばよい。なお、遅延の告知は、遅延告知を表示する画面を別途設けることにより行ってもよい。
【００５１】
ステップＳ３でＮｏあるいはステップＳ４の後、処理部２１は、不明の明示カード３０があるか否かを判定する（ステップＳ５）。具体的には、記憶部２２の作業者情報２２１、行先情報２２２、帰着時間情報２２３を参照し、いずれの情報にも該当しない明示カード３０があれば、「不明」と判定する。
【００５２】
処理部２１は、「不明」の明示カード３０があると判定した場合（ステップＳ５でＹｅｓ）、不明告知をする（ステップＳ６）。この不明告知は、例えば、明示状況管理情報２２７（図９参照）を表示部２５に表示するときに、併せて「不明」の旨を表示することにより行えばよい。さらに、「不明」の明示カードだけを表示する画面を別途設けてもよい。ステップＳ５でＮｏあるいはステップＳ６の後、処理部２１は、ステップＳ１に戻る。
【００５３】
このように、本実施形態の明示板管理システムＳによれば、管理者などが各作業エリアの状況等を把握するときに、各明示板１７を実際に見に行く必要がなく、複数の作業エリアの作業者を一括で効率よく管理（把握）することができる。
【００５４】
さらに、告知判定閾値情報２２５は、帰着時間の合わせて各種設定されていることが好ましい。具体的には、帰着時間がＡＭの場合には１５時（午後３時）を過ぎたとき、帰着時間がＰＭの場合は、２０時（午後８時）を過ぎたときに告知判定してもよい。また、帰着時間が「明日」の場合には、該当する日の２０時（午後８時）を過ぎたときに告知判定をしてもよい。
【００５５】
本実施形態では、明示板１７として、行先明示板について説明したがこれに限定されるものではない。例えば、作業者の作業内容を明示する作業管理の明示板であってもよい。
【００５６】
図１２は、作業管理の明示板を示す図である。図１に示す作業エリアＡ（１１）、作業エリアＢ（１２）、作業エリアＣ（１３）、作業エリアＤ（１４）などには、作業管理の明示板１７ｘ（１７）が設置される。明示板１７ｘには、氏名欄、工程欄、作業欄の３列から構成されており、氏名欄（ここでは、１０名分）に対応して工程内容および作業内容を明示することができる。各アンテナ１７３（図２参照）は、各行における氏名欄、工程欄、作業欄に置かれた明示カード３０を読み取るときに使用される。氏名欄、工程欄、作業欄には、個別に透明のカード保持ケース１７２が設けられている。
【００５７】
作業エリアとしては、例えば、部品加工、部品検査、塗装、部品組立、本体組立、本体検査の作業エリアがあり、各作業エリアの明示板１７に設置されたＲＦＩＤリーダライタ１７４は、明示カード３０のＲＦＩＤタグ３２からの情報を、管理サーバ２０に送信し、管理サーバ２０は、明示板１７の明示状況を管理することができる。
【００５８】
明示板管理システムＳとして作業管理を行う場合、記憶部２２は、作業者情報２２１のほかに、工程内容の情報である工程情報、作業内容を特定するための情報である作業情報、エリア区分情報２２４、告知判定閾値情報２２５、明示状況管理情報２２７、個人管理情報２２８を含んで構成される。告知判定閾値情報２２５に、作業の標準時間などを登録しておくと、処理部２１は、所定の作業が標準時間を越えると、遅滞告知をすることができる。
【００５９】
図２に示した行先管理の明示板１７ａと、作業管理の明示板１７ｘは、独立して作業エリアに設置してもよいし、また、ひとつにまとめてもよい。ひとつにまとめた場合、明示板１７は、氏名欄、行先欄、帰着欄、工程欄、作業欄を含んで構成される。本発明の趣旨を逸脱しない範囲で適宜変更が可能である。
【００６０】
本実施形態で説明した明示カード３０は、ＩＤタグに記憶されている識別情報をリーダが読み取り、読み取った識別情報を管理装置が管理する管理システムにおいて、明示内容を表面に表示し、明示内容を識別するための識別情報を記憶するＩＤタグを備える明示カードであって、ロイコ染料材で形成されるロイコ層３３１ａ（第１のロイコ層）と、ロイコ染料材で形成されるロイコ層３３１ｂ（第２のロイコ層）と、第１のロイコ層と第２のロイコ層との間にリーダからの電波の遮蔽層３３３とを備え、第１のロイコ層と遮蔽層３３３との間に第２のＩＤタグを有し、第２のロイコ層と遮蔽層との間に第１のＩＤタグを有し、第１のロイコ層に明示される明示内容を識別する識別情報が第１のＩＤタグに記憶されており、第２のロイコ層に明示される明示内容を識別する識別情報が第２のＩＤタグに記憶されている。これにより、明示板１７に明示カード３０を装着しても、明示されている明示内容を、管理サーバ２０により適正に管理することができる。
【００６１】
以上で本実施形態の説明を終えるが、本発明の態様はこれらに限定されるものではない。ＲＦＩＤタグ３２は、小型化や低コスト化などの点で有利な電池未搭載型で受信電波から電力を得るタイプのものとしたが、電池搭載型のアクティブタグであってもよい。また、ＲＦＩＤリーダライタ１７４と管理サーバ２０は、有線のＬＡＮ１８で接続されているが、そのほかに、無線ＬＡＮ等によって通信可能となっていてもよい。その他、ハードウェアやフローチャートなどの具体的な構成について、本発明の趣旨を逸脱しない範囲で適宜変更が可能である。
【符号の説明】
【００６２】
１０    作業場
１１    作業エリアＡ
１２    作業エリアＢ
１３    作業エリアＣ
１４    作業エリアＤ
１７    明示板
２０    管理サーバ（管理装置）
２１    処理部
２２    記憶部
３０    明示カード
３２    ＲＦＩＤタグ（ＩＤタグ）
１７１    アンテナ支持部
１７２    カード保持ケース
１７４    ＲＦＩＤリーダライタ（リーダ）
２２１    作業者情報
２２２    行先情報
２２３    帰着時間情報
２２４    エリア区分情報
２２５    告知判定閾値情報
２２７    明示状況管理情報
２２８    個人管理情報
３３１    ロイコ層
３３２    タグ層
３３３    遮蔽層
【図１】
2010244105.tif 000003
【図２】
2010244105.tif 000004
【図３】
2010244105.tif 000005
【図４】
2010244105.tif 000006
【図５】
2010244105.tif 000007
【図６】
2010244105.tif 000008
【図７】
2010244105.tif 000009
【図８】
2010244105.tif 000010
【図９】
2010244105.tif 000011
【図１０】
2010244105.tif 000012
【図１１】
2010244105.tif 000013
【図１２】
2010244105.tif 000014